(57)【要約】【課題】従来技術では、漏洩発生箇所の特定は作業者による漏洩痕跡の目視点検により行っていた。しかし、漏洩量が少ない場合、漏洩痕跡等の確認ができないため漏洩箇所の特定が困難であった。本発明の目的は、漏洩量が少ない場合でも漏洩痕跡を明確にし、原子力発電プラント内の配管及び機器で発生した漏洩の発生箇所を特定することができる漏洩発生箇所特定装置を提供する。【解決手段】漏洩箇所特定装置は、ドレン流量計のデータを取り込むデータ入力装置とトレーサ注入時間及びトレーサ注入量を制御する制御装置と原子炉に接続される配管にトレーサを注入する注入タンクとを備える。【選択図】  図１
2004317270.tif 000002
【特許請求の範囲】
【請求項１】
ドレン流量計のデータを取り込むデータ入力装置と、トレーサの注入時間及び注入量を制御する制御装置と、原子炉に接続される配管にトレーサを注入する注入タンクと、を備える漏洩箇所特定装置。
【請求項２】
原子炉に接続されている配管にトレーサを注入する注入タンクと、ドレン流量計のデータを取り込むデータ入力装置と、前記データに基づいて決定されたトレーサの注入時間及び注入量に従って前記注入タンクから注入するトレーサの注入時間及び注入量を制御する制御装置と、を備える漏洩箇所特定装置。
【請求項３】
請求項２において、前記トレーサの注入時間及び注入量は、漏洩箇所付着放射能量が検出下限値以上となるように前記データに基づいて決定されることを特徴とする漏洩箇所特定装置。
【請求項４】
請求項１乃至請求項３の何れかにおいて、前記トレーサは放射性核種であることを特徴とする格納容器内漏洩箇所特定装置。
【請求項５】
請求項１乃至請求項３の何れかにおいて、前記トレーサは着色染料であることを特徴とする格納容器内漏洩箇所特定装置。
【発明の詳細な説明】
【０００１】
【発明の属する技術分野】
本発明は、原子力発電プラント内の配管及び機器で発生した漏洩の発生箇所を特定する漏洩発生箇所特定装置に関する。
【０００２】
【従来の技術】
従来、格納容器内で発生した配管等からの漏洩は、格納容器外へ排出されるドレン流量の増加や露点温度上昇，格納容器内に設置されている除湿装置からの凝縮水発生量の増加により検知していた。そして、漏洩箇所の特定は、ドレン水の分析結果及びドレン系統に流入する配管を目安として、作業者による漏洩痕跡の目視点検にて行っていた。
【０００３】
漏洩箇所を特定する方法として、格納容器内雰囲気中のトリチウム濃度から一次系水の漏洩発生を監視し、漏洩箇所を確認する方法がある（例えば、特許文献１参照）。
【０００４】
【特許文献１】
特開平１０−６８７９３号公報
【０００５】
【発明が解決しようとする課題】
上記従来技術では、漏洩発生箇所の特定は作業者による漏洩痕跡の目視点検により行っていた。しかし、漏洩量が少ない場合、漏洩痕跡等の確認ができず、漏洩箇所の特定が困難となる場合があった。
【０００６】
本発明の目的は、漏洩量が少ない場合でも漏洩痕跡を明確にし、原子力発電プラント内の配管及び機器で発生した漏洩の発生箇所を特定することができる漏洩発生箇所特定装置を提供することにある。
【０００７】
【課題を解決するための手段】
本発明の漏洩箇所特定装置は、ドレン流量計のデータを取り込むデータ入力装置とトレーサ注入時間及びトレーサ注入量を制御する制御装置と原子炉に接続される配管にトレーサを注入する注入タンクとを備える。
【０００８】
これにより、漏洩量が少ない場合でも漏洩痕跡を明確にし、原子力発電プラント内の配管及び機器で発生した漏洩の発生箇所を特定することができる。
【０００９】
【発明の実施の形態】
以下、本発明の実施例を図１を用いて説明する。
【００１０】
図１は本発明の漏洩箇所特定装置を示しており、格納容器内のプロセス計器データを取込むデータ入力装置１，入力されたデータからトレーサの注入時間及び注入量を決定し注入ポンプ２のトレーサ注入量・起動時間を制御する制御装置３、及びトレーサ注入タンク４を備えている。本漏洩箇所特定装置は給水系サンプリング配管１５に接続し、給水系サンプリング配管１５から系統内にトレーサを注入する。
【００１１】
格納容器１２内に収納された原子炉１３及び原子炉に接続される原子炉浄化系１１や給水系１４等の配管及び機器から漏洩が発生した場合、漏洩水がドレン系統に流入する。各ドレン系統の流量計（床ドレン流量計５，冷却機凝縮水ドレン流量計６，ブリードオフドレン流量計７，機器ドレン流量計８）の指示値等の変化から、漏洩を検知する。
【００１２】
漏洩が発生した場合、漏洩箇所特定装置によりトレーサを系統内に注入する。つまり、格納容器内１２の各ドレン流量計５〜８のデータをデータ入力装置１で受信し、当該データをもとに得られた漏洩量等からトレーサの注入量及び注入時間を決定し、制御装置３により注入ポンプ２を制御して系統内にトレーサを注入する。
【００１３】
制御装置３で実行するトレーサ注入量及び注入時間の決定を、トレーサとして放射性核種を使用し、給水系から漏洩が発生した場合を例として下記に示す。
【００１４】
給水系から漏洩した水は大部分がフラッシュし蒸気となるが、腐食生成核種は揮発性ではないため大部分が漏洩箇所に付着する。そこで、漏洩量の全てが漏洩箇所に付着すると仮定すると、漏洩箇所の付着放射能量Γは（１）式で表される。
【００１５】
【数１】
2004317270.tif 000003
【００１６】
原子炉持込放射能濃度αは、給水系１４及び原子炉浄化系１１から流入する放射能の和である。従ってαは（２）式で表される。
【００１７】
【数２】
2004317270.tif 000004
【００１８】
また、原子炉浄化系１１の原子炉浄化系除去率ηは１に近いことから、αは
（３）式となる。
【００１９】
【数３】
2004317270.tif 000005
【００２０】
α：原子炉持込放射能濃度（Ｂｑ／ｍｌ）、Ｆｄ：漏洩量（ｍｌ／ｈｒ）、
Ｓ：付着箇所（ｃｍ２）、Γ：漏洩箇所付着放射能量（Ｂｑ／ｃｍ２）、
λ：壊変定数（１／ｈ）、Ｃｆ：給水放射能濃度（Ｂｑ／ｍｌ）、
Ｃｘ：炉水放射能濃度（Ｂｑ／ｍｌ）、Ｖ：原子炉保有水量（ｔ）、
Ｆｃｕｗ：給水流量（ｔ／ｈ）、Ｆｃｕｗ：原子炉浄化系流量（ｔ／ｈ）、
η：原子炉浄化系除去率（−）
ここで、（１）式をｔ＝０のとき、Γ＝０として展開すると、（４）式となる。
【００２１】
【数４】
2004317270.tif 000006
【００２２】
（４）式によると、原子炉持込放射能濃度αを一定に保つことにより、図２に示すように付着放射能濃度Γが一定時間後に平衡状態に到達する。
【００２３】
（４）式を使用して付着放射能量Γを測定可能な値（検出下限値）以上となるように、原子炉持込放射能濃度α及びトレーサ注入時間ｔを求める。
【００２４】
更に、給水放射能濃度Ｃｆは、（５）式で定義されることから、トレーサ注入タンクの放射能濃度を一定として、トレーサ注入流量Ｆｉｎｊが計算できる。
【００２５】
【数５】
2004317270.tif 000007
【００２６】
Ｃｆ：給水放射能濃度（Ｂｑ／ｍｌ）、Ｆｆｗ：給水流量（ｔ／ｈ）、
Ｃｉｎｊ：トレーサ注入タンク放射能濃度（Ｂｑ／ｍｌ）、
Ｆｉｎｊ：注入流量（ｔ／ｈ）
具体的には、トレーサにＣｒ−５１を使用して、付着放射能量Γ＝１．０（Ｂｑ／ｃｍ２），漏洩量Ｆｄ＝２５０００（ｍｌ／ｈ），給水流量Ｆｆｗ＝６４００（ｍ３／ｈ），付着箇所Ｓ＝１００００（ｃｍ２）と仮定すると、壊変定数λ＝０．００１５（１／ｈ）であることから、原子炉持込放射能濃度αを０．０５（Ｂｑ／ｍｌ）とすれば、（４）式よりトレーサ注入時間は９時間以上となる。
【００２７】
ここで、原子炉浄化系１１を全停止することにより、炉内濃縮のため炉水放射能濃度Ｃｘが上昇し、式（２）でＦｃｕｗ＝０  となることから、少ないトレーサ注入量でも漏洩箇所での放射能の検出が可能となる。
【００２８】
また、トレーサとして使用する放射性核種は、被ばく低減の観点から半減期が数十日程度のＣｒ−５１，Ｎａ−２４等の短半減期核種を使用する。着色染料としては、ローダミン等を使用する。トレーサとして、放射性核種や着色染料を用いることにより漏洩痕跡を明確にすることができる。
【００２９】
本実施例では、給水系サンプリング配管１５からレーサを注入したが、原子炉浄化系出口サンプリング配管９や復水出口サンプリング配管１０から注入しても同様の効果を得ることができる。
【００３０】
本実施例によれば、付着放射能量Γを測定可能な値（検出下限値）以上となるように決定したトレーサ注入時間，トレーサ注入量でトレーサを注入することにより、少ない漏洩量でも漏洩痕跡を明確にでき、漏洩箇所の特定が可能となる。
【００３１】
また、目視点検ができるのはプラント停止後の格納容器大気解放後のため、従来の漏洩箇所特定方法では、漏洩箇所の乾燥により漏洩箇所の判別が困難であった。本実施例によれば、漏洩が発生している配管や機器表面にトレーサが付着するため、漏洩箇所が乾燥していても、トレーサとして放射性核種を使用している場合は配管表面の放射能測定により、着色料を使用している場合は目視点検により、漏洩箇所の特定が可能となる。
【００３２】
【発明の効果】
本発明の漏洩箇所特定装置では、漏洩量が少ない場合でも漏洩痕跡を明確にでき、原子力発電プラント内の配管及び機器で発生した漏洩の発生箇所を特定することができる。
【図面の簡単な説明】
【図１】本発明の一例である漏洩箇所特定装置適用例。
【図２】本発明の一例である給水放射能濃度と付着放射能量の経時変化模式図。
【符号の説明】
１…データ入力装置、２…注入ポンプ、３…制御装置、４…トレーサ注入タンク、５〜８…ドレン流量計、９…原子炉浄化系出口サンプリング配管、１０…復水浄化系出口サンプリング配管、１１…原子炉浄化系、１２…格納容器、１３…原子炉、１４…給水系、１５…給水系サンプリング配管。
【図１】
2004317270.tif 000008
【図２】
2004317270.tif 000009